(57)【要約】【課題】圧縮機から生じる振動が取付ベースに伝わることを防止若しくは抑制しながら、圧縮機自体の揺れを極力抑えることができる支持装置を提供する。【解決手段】横置き型密閉容器２の長手方向における一端部に設けられた給電用のターミナル部３と、密閉容器２の他端部側の側面に設けられた配管５Ａ、６Ａ接続用のスリーブ５、６とを備えた圧縮機１の支持装置において、密閉容器２の底部を取付ベース３０に固定するための弾性マウンティング１１を設ける。ターミナル部３を弾性材１６を介して取付ベース３０に固定するターミナル部支持部材１５を設ける。スリーブ５、６を弾性材１６を介して取付ベース３０に固定するスリーブ支持部材２０を設ける。【選択図】      図１
2004162568.tif 000002
【特許請求の範囲】
【請求項１】
横置き型密閉容器の長手方向における一端部に設けられた給電用のターミナル部を備えた圧縮機の支持装置であって、
前記密閉容器の底部を取付ベースに固定するための弾性マウンティングと、
前記ターミナル部を弾性材を介して前記取付ベースに固定するターミナル部支持部材とを備えて成る圧縮機の支持装置。
【請求項２】
横置き型密閉容器の側面に設けられた配管接続用のスリーブを備えた圧縮機の支持装置であって、
前記密閉容器の底部を取付ベースに固定するための弾性マウンティングと、
前記スリーブを弾性材を介して前記取付ベースに固定するスリーブ支持部材とを備えて成る圧縮機の支持装置。
【請求項３】
横置き型密閉容器の長手方向における一端部に設けられた給電用のターミナル部と、前記密閉容器の他端部側の側面に設けられた配管接続用のスリーブとを備えた圧縮機の支持装置であって、
前記密閉容器の底部を取付ベースに固定するための弾性マウンティングと、
前記ターミナル部を弾性材を介して前記取付ベースに固定するターミナル部支持部材と、
前記スリーブを弾性材を介して前記取付ベースに固定するスリーブ支持部材とを備えて成る圧縮機の支持装置。
【請求項４】
前記スリーブは、相互に前記密閉容器の反対側となる位置に少なくとも二箇所設けられると共に、前記スリーブ支持部材は前記各スリーブにそれぞれ設けられることを特徴とする請求項３の圧縮機の支持装置。
【発明の詳細な説明】
【０００１】
【発明の属する技術分野】
本発明は、横置き型の圧縮機を取付ベースに支持するための支持装置に関するものである。
【０００２】
【従来の技術】
従来よりこの種圧縮機は運転中騒音や振動が発生するため、この振動が圧縮機が取り付けられる取付ベースに伝わらないように弾性を有したゴム、及び／又は、スプリングなどの弾性材を介して圧縮機を取付ベースに支持させている。
【０００３】
次に、図６乃至図７を用いて係る従来の圧縮機の取付構造を説明する。図６において１０１は、例えば電気自動車のエンジンルームに設置されてカーエアコンの冷媒回路を構成する圧縮機を示している。圧縮機１０１を構成する横置き型の密閉容器１０２の底部前後には左右に渡って取付脚１１０（後方側図示せず）が取り付けられており、各取付脚１１０の下端には左右に渡って延在する取付板１３２がそれぞれ固定されている。
【０００４】
図中１３０は、前記エンジンルームに設けられた圧縮機固定用の取付ベースであり、圧縮機１０１の各取付板１３２の両端近傍はコイルバネ１１４を介して取付ベース１３０に取付支持されている。これにより、圧縮機１０１はコイルバネ１１４の四点支持にて取付ベース１３０上に支持される。これによって、圧縮機１０１から生じる振動が取付ベース１３０から車体に伝達され難い構造としていた（特許文献１参照）。
【０００５】
尚、１０５Ａは、スリーブ１０５を介して圧縮機１０１の吐出側に接続されている配管で、冷媒回路を構成する図示しない凝縮器に接続されている。また、１０６Ａは、スリーブ１０６を介して圧縮機１０１の吸込側に接続されている配管で、これもまた冷媒回路を構成する図示しないアキュムレータなどに接続されている。
【０００６】
【特許文献１】
特開平７−１９１６９号公報（第４頁乃至第６頁）。
【０００７】
【発明が解決しようとする課題】
このような構成で自動車の走行中の振動や揺れなどが圧縮機１０１の上下方向に加わった場合は、圧縮機１０１の四隅に設けられたコイルバネ１１４が伸縮して、圧縮機１０１は上下に揺れることになる（図６中矢印方向）。また、圧縮機１０１の左右方向に加わった場合には、図７に示す如く密閉容器１０２の軸を中心として回転する揺れになる。
【０００８】
一方、スリーブ１０５や１０６に接続された配管１０５Ａ、１０６Ａは車体側に固定されているものであるため、上述のような圧縮機１０１の揺れが大きくなると、スリーブ１０５や１０６と配管１０５Ａ、１０６Ａとの接続箇所に疲労が集中し、ひび割れや破損が生じる問題があった。
【０００９】
本発明は、係る従来の技術的課題を解決するために成されたものであり、圧縮機から生じる振動が取付ベースに伝わることを防止若しくは抑制しながら、圧縮機自体の揺れを極力抑えることができる支持装置を提供することを目的とする。
【００１０】
【課題を解決するための手段】
即ち、請求項１の発明の支持装置は、横置き型密閉容器の長手方向における一端部に設けられた給電用のターミナル部を備えた圧縮機に適用され、密閉容器の底部を取付ベースに固定するための弾性マウンティングと、ターミナル部を弾性材を介して取付ベースに固定するターミナル部支持部材とを備えているので、圧縮機から取付ベースに伝わる振動を底部の弾性マウンティングにより防止若しくは抑制できると共に、取付ベースの振動や揺れにより、密閉容器の長手方向の端部が上下動する揺れは、密閉容器の長手方向の一端部に位置するターミナル部を支持するターミナル部支持部材により防止若しくは抑制することができるようになる。
【００１１】
また、ターミナル支持部材は弾性材を介してターミナル部を支持するものであるので、ターミナル支持部材を介して圧縮機から取付ベースに伝わる振動も効果的に解消できるものである。
【００１２】
また、請求項２の発明の支持装置は、横置き型密閉容器の側面に設けられた配管接続用のスリーブを備えた圧縮機に適用され、密閉容器の底部を取付ベースに固定するための弾性マウンティングと、スリーブを弾性材を介して取付ベースに固定するスリーブ支持部材とを備えているので、圧縮機から取付ベースに伝わる振動を底部の弾性マウンティングにより防止若しくは抑制できると共に、取付ベースの振動や揺れにより、配管接続部分が上下する揺れや密閉容器の軸を中心として回転する揺れは、密閉容器の側面に設けられたスリーブをスリーブ支持部材により防止若しくは抑制することができるようになる。
【００１３】
また、スリーブ支持部材は弾性材を介してスリーブを支持するものであるので、スリーブ支持部材を介して圧縮機から取付ベースに伝わる振動も効果的に解消できるものである。
【００１４】
また、請求項３の発明の支持装置は、横置き型密閉容器の長手方向における一端部に設けられた給電用のターミナル部と、密閉容器の他端部側の側面に設けられた配管接続用のスリーブとを備えた圧縮機に適用され、密閉容器の底部を取付ベースに固定するための弾性マウンティングと、ターミナル部を弾性材を介して取付ベースに固定するターミナル部支持部材と、スリーブを弾性材を介して取付ベースに固定するスリーブ支持部材とを備えているので、圧縮機から取付ベースに伝わる振動を底部の弾性マウンティングにより防止若しくは抑制できると共に、取付ベースの振動や揺れにより、密閉容器の長手方向の端部が上下動する揺れは、密閉容器の長手方向の一端部に位置するターミナル部を支持するターミナル部支持部材により防止若しくは抑制することができるようになる。
【００１５】
また、密閉容器の側面に設けられたスリーブをスリーブ支持部材によって支持することで、配管接続部分の上下の揺れや密閉容器の軸を中心として回転する揺れを防止若しくは抑制し、変位を小さくできるので、配管接続部分の疲労損傷を効果的に防止することが可能となる。更に、各支持部材は弾性材を介してターミナル部やスリーブを支持するものであるので、支持部材を介して圧縮機から取付ベースに伝わる振動も効果的に解消できるものである。
【００１６】
更にまた、ターミナル部とスリーブとは密閉容器の一端部と他端部側とに離間しているので、これらによる支持効果は安定的なものとなる。
【００１７】
また、請求項４の発明の圧縮機の支持装置では、上記においてスリーブは、相互に密閉容器の反対側となる位置に少なくとも二箇所設けられると共に、スリーブ支持部材は各スリーブにそれぞれ設けられるので、密閉容器をターミナル部支持部材と各スリーブ支持部材とで三点支持することができるようになり、絶大な揺れ防止効果を得ることが可能となるものである。
【００１８】
【発明の実施の形態】
次に、図面に基づき本発明の実施形態を詳述する。図１は本発明の支持装置で支持された圧縮機１の正面図、図２は図１の圧縮機１の平面図をそれぞれ示している。図中１は横置き型の密閉容器２内に図示しない圧縮要素及び電動要素などを備えた圧縮機で、この圧縮機１は例えば、カーエアコンなどに用いられるロータリコンプレッサ或いはレシプロコンプレッサ、スクロールコンプレッサなどである。
【００１９】
密閉容器２は、前記圧縮要素及び電装要素などを収納する円筒状の容器本体２Ａと、この容器本体２Ａの一端部の開口を閉塞する椀状の蓋体２Ｂの二部材で構成されている。この蓋体２Ｂの略中心（容器本体２Ａの軸中心）には、電動要素に電力を供給するためのターミナル４が取り付けられており、このターミナル４は密閉容器２の蓋体２Ｂに固定されたキャップ部材４Ａによりカバーされ、これらによりターミナル部３が構成されている。
【００２０】
密閉容器２の容器本体２Ａの軸方向（長手方向）両端部の底部（下側）には、軸に直交する方向に渡って取付脚１０、１０が溶接固定されており、容器本体２Ａの一側面にはスリーブ５が接続されている。スリーブ５には配管５Ａが接続されており、この配管５Ａは圧縮機１の吐出側に接続されている。スリーブ５は、ターミナル４とは反対側の容器本体２Ａの他端２Ｃ側の一側面に位置している。
【００２１】
また、このスリーブ５の反対側の側面となる密閉容器２の他側面にもスリーブ６が接続されている。このスリーブ６にも配管６Ａが接続されており、この配管６Ａは圧縮機１の吸込側に接続されている。このスリーブ６もターミナル４とは反対側の容器本体２Ａの他端２Ｃ側の他側面に位置している。
【００２２】
そして、圧縮機１の吐出側の配管５Ａは図示しない凝縮器に接続され、以後受液器、膨張弁、蒸発器、アキュムレータ（何れも図示せず）と配管接続されて最終的にこのアキュムレータが圧縮機１の吸込側の配管６Ａに接続され、これらにより環状の冷媒回路が構成されている。
【００２３】
一方、圧縮機１は、本発明の支持装置によって自動車のエンジンルームなどに設けられた取付ベース３０に支持されている。この支持装置は、弾性マウンティング１１と、ターミナル部支持部材１５と、スリーブ支持部材２０、２０とから構成される。
【００２４】
弾性マウンティング１１は、ゴム等のクッション材１２とボルト１３及びコイルバネ１４とから構成されており、クッション材１２は前記取付脚１０の上下面（両面）に突出した状態で取り付けられて、後述するボルト１３及びコイルバネ１４が直接取付脚１０に接触しないようにするものである。この場合、クッション材１２にボルト１３及びコイルバネ１４が挿通された後、ボルト１３が取付ベース３０に固定される。これにより、圧縮機１の底部四隅が取付ベース３０に支持されることになる。このクッション材１２とコイルバネ１４によって、圧縮機１から発生した振動が直接取付ベース３０に伝わって増幅されないように構成されている。
【００２５】
また、ターミナル部支持部材１５は、前記ターミナル部３を取付ベース３０に弾性的に支持するもので、弾性材１６と支持部材１８とから構成されている。弾性材１６は、弾性を有したゴム等のクッション材にて構成されると共に、所定の厚さ、所定の外径にて略円形に構成されている（図３）。この弾性材１６の中央には嵌合部１７が一体に形成されており、この嵌合部１７は弾性材１６の中心を貫通して形成され、嵌合部１７は弾性材１６の中心を通って鉛直方向に所定寸法を有している。
【００２６】
また、弾性材１６には中心から外周方向に渡って同心円の山部１６Ａ（図中実線）と谷部１６Ｂ（図中点線）とが交互に形成されている。この場合、弾性材１６は、波紋が広がるように凹凸が波状に形成され、中央には嵌合部１７が形成されると共に、嵌合部１７はキャップ部材４Ａやスリーブ５、６の外径に密着して嵌合する寸法とされている（図４）。
【００２７】
弾性材１６は、嵌合部１７が周囲の何れかの方向に移動する場合、一方の山部１６Ａと谷部１６Ｂは伸びて他方の山部１６Ａと谷部１６Ｂは縮んだ後、伸びた山部１６Ａと谷部１６Ｂは収縮して元に戻り、縮んだ山部１６Ａと谷部１６Ｂが元に戻ることにより、嵌合部１７が常に弾性材１６の中心に戻るように構成されている。
【００２８】
また、支持部材１８は、弾性材１６を保持して取付ベース３０に支持するもので、支持辺１８Ａとこの支持辺１８Ａの上端に設けられた保持辺１８Ｂとから構成されている。この保持辺１８Ｂは略環状に形成されると共に、保持辺１８Ｂの内径から外径方向に向かって保持溝１８Ｃが彫り込まれている。そして、保持溝１８Ｃに前記弾性材１６の周縁部が挿入されて接着剤などで固定されることにより、弾性材１６は保持溝１８Ｃに保持される。尚、保持辺１８Ｂに保持溝１８Ｃを設けず、保持辺１８Ｂに直接弾性材１６を接着固定しても差し支えない。
【００２９】
そして、弾性材１６の嵌合部１７がターミナル４のキャップ部材４Ａに嵌合され、支持辺１８Ａが取付ベース３０に立設固定されることにより、ターミナル部３は弾性材１６を介して取付ベース３０に支持される。係る圧縮機１に外力が加わった場合、弾性材１６の山部１６Ａと谷部１６Ｂとが伸縮してターミナル部３を元の位置に戻す。これによって、圧縮機１の長手方向の端部が上下動する揺れを防止若しくは抑制することができるようになる。尚、弾性材１６の山部１６Ａと谷部１６Ｂとは略円形に形成されているので、どの方向から外力が加わった場合でも山部１６Ａと谷部１６Ｂとは平均に安定して伸縮するので圧縮機１の揺れを好適に吸収することができる。
【００３０】
一方、スリーブ支持部材２０、２０は前記スリーブ５、６を前記取付ベース３０にそれぞれ弾性的に支持するもので、ターミナル部支持部材１５同様の弾性材１６と支持部材１８とから構成されている。この場合、スリーブ支持部材２０は、嵌合部１７がスリーブ５、６の外径に密着して嵌合する寸法に形成されると共に、支持辺１８Ａは嵌合部１７の中心がスリーブ５、６の高さに対応する長さとされている以外、ターミナル部支持部材１５同様に構成されている。
【００３１】
そして、スリーブ支持部材２０を構成する弾性材１６の嵌合部１７がスリーブ５に嵌合され、支持辺１８Ａが取付ベース３０に立設固定されることにより、スリーブ５は弾性材１６を介して取付ベース３０に支持される。また、スリーブ６も同様にスリーブ支持部材２０にて取付ベース３０に支持される。係る圧縮機１に外力が加わった場合、前述同様弾性材１６の山部１６Ａと谷部１６Ｂとが伸縮して両スリーブ５、６を元の位置に戻す。これによって、前述同様圧縮機１の上下動並びに軸を中心として回転する揺れを安定して好適に防止若しくは抑制することができる。
【００３２】
このように、密閉容器２の底部を弾性マウンティング１１で支持すると共に、密閉容器２の側面に設けられたスリーブ５、６及び一端部に設けられたターミナル部３をスリーブ支持部材２０、２０及びターミナル部支持部材１５で支持しているので、圧縮機１から取付ベース３０に伝わる振動を底部の弾性マウンティング１１により防止若しくは抑制できると共に、取付ベース３０の振動や揺れにより、密閉容器２の長手方向の端部が上下動する揺れは、密閉容器２の長手方向の一端部に位置するターミナル部３を支持するターミナル部支持部材１５により防止若しくは抑制することができるようになる。
【００３３】
また、密閉容器２の側面に設けられたスリーブ５、６をスリーブ支持部材２０、２０によって支持することで、配管５Ａ、６Ａの接続部分の上下の揺れや密閉容器２の軸を中心として回転する揺れを防止若しくは抑制し、変位を小さくできるので、配管５Ａ、６Ａの接続部分の疲労損傷を効果的に防止することが可能となる。更に、各支持部材１５、２０、２０は弾性材１６を介してターミナル部３やスリーブ５、６を支持するものであるので、支持部材１５、２０、２０を介して圧縮機１から取付ベース３０に伝わる振動も効果的に解消できる。この場合、ターミナル部３とスリーブ５、６とは密閉容器１の一端部と他端部側とに離間しているので、これらによる支持効果は安定的なものとなる。
【００３４】
また、スリーブ５、６は、相互に密閉容器２の反対側となる位置に設けられると共に、スリーブ支持部材２０、２０は各スリーブ５、６にそれぞれ設けられるので、密閉容器２をターミナル部支持部材１５と各スリーブ支持部材２０、２０とで三点支持することができるようになり、絶大な揺れ防止効果を得ることが可能となる。これにより、各配管５Ａ、６Ａの割れや折損などの損傷を確実に防止することができるようになる。
【００３５】
尚、実施例で示した弾性材１６や支持部材１５、２０などの形状は、これに限定されるものでは無く、本発明の趣旨を逸脱しない範囲で種々変更可能である。
【００３６】
【発明の効果】
以上詳述した如く請求項１の発明の支持装置によれば、横置き型密閉容器の長手方向における一端部に設けられた給電用のターミナル部を備えた圧縮機において、密閉容器の底部を取付ベースに固定するための弾性マウンティングと、ターミナル部を弾性材を介して取付ベースに固定するターミナル部支持部材とを備えているので、圧縮機から取付ベースに伝わる振動を底部の弾性マウンティングにより防止若しくは抑制できると共に、取付ベースの振動や揺れにより、密閉容器の長手方向の端部が上下動する揺れは、密閉容器の長手方向の一端部に位置するターミナル部を支持するターミナル部支持部材により防止若しくは抑制することができるようになる。
【００３７】
また、ターミナル支持部材は弾性材を介してターミナル部を支持するものであるので、ターミナル支持部材を介して圧縮機から取付ベースに伝わる振動も効果的に解消できるものである。
【００３８】
また、請求項２の発明の支持装置によれば、横置き型密閉容器の側面に設けられた配管接続用のスリーブを備えた圧縮機において、密閉容器の底部を取付ベースに固定するための弾性マウンティングと、スリーブを弾性材を介して取付ベースに固定するスリーブ支持部材とを備えているので、圧縮機から取付ベースに伝わる振動を底部の弾性マウンティングにより防止若しくは抑制できると共に、取付ベースの振動や揺れにより、配管接続部分が上下する揺れや密閉容器の軸を中心として回転する揺れは、密閉容器の側面に設けられたスリーブをスリーブ支持部材により防止若しくは抑制することができるようになる。
【００３９】
また、スリーブ支持部材は弾性材を介してスリーブを支持するものであるので、スリーブ支持部材を介して圧縮機から取付ベースに伝わる振動も効果的に解消できるものである。
【００４０】
また、請求項３の発明の支持装置によれば、横置き型密閉容器の長手方向における一端部に設けられた給電用のターミナル部と、密閉容器の他端部側の側面に設けられた配管接続用のスリーブとを備えた圧縮機において、密閉容器の底部を取付ベースに固定するための弾性マウンティングと、ターミナル部を弾性材を介して取付ベースに固定するターミナル部支持部材と、スリーブを弾性材を介して取付ベースに固定するスリーブ支持部材とを備えているので、圧縮機から取付ベースに伝わる振動を底部の弾性マウンティングにより防止若しくは抑制できると共に、取付ベースの振動や揺れにより、密閉容器の長手方向の端部が上下動する揺れは、密閉容器の長手方向の一端部に位置するターミナル部を支持するターミナル部支持部材により防止若しくは抑制することができるようになる。
【００４１】
また、密閉容器の側面に設けられたスリーブをスリーブ支持部材によって支持することで、配管接続部分の上下の揺れや密閉容器の軸を中心として回転する揺れを防止若しくは抑制し、変位を小さくできるので、配管接続部分の疲労損傷を効果的に防止することが可能となる。更に、各支持部材は弾性材を介してターミナル部やスリーブを支持するものであるので、支持部材を介して圧縮機から取付ベースに伝わる振動も効果的に解消できるものである。
【００４２】
更にまた、ターミナル部とスリーブとは密閉容器の一端部と他端部側とに離間しているので、これらによる支持効果は安定的なものとなる。
【００４３】
また、請求項４の発明によれば、上記に加えてスリーブは、相互に密閉容器の反対側となる位置に少なくとも二箇所設けられると共に、スリーブ支持部材は各スリーブにそれぞれ設けられるので、密閉容器をターミナル部支持部材と各スリーブ支持部材とで三点支持することができるようになり、絶大な揺れ防止効果を得ることが可能となるものである。
【図面の簡単な説明】
【図１】本発明の支持装置を適用した圧縮機の正面図である。
【図２】図１の圧縮機の平面図である。
【図３】本発明の支持装置を構成する弾性材の正面図である。
【図４】図３の弾性材の縦断側面図である。
【図５】本発明の支持装置を構成する弾性材と支持部材の縦断側面図である。
【図６】従来の圧縮機の支持構造における上下方向の揺れ状態を示す図である。
【図７】従来の圧縮機の支持構造における回転方向の揺れ状態を示す図である。
【符号の説明】
１  圧縮機
２  密閉容器
２Ａ  容器本体
２Ｂ  蓋体
３  ターミナル部
４  ターミナル
４Ａ  キャップ部材
５  スリーブ
５Ａ  配管
６  スリーブ
６Ａ  配管
１０  取付脚
１１  弾性マウンティング
１２  クッション材
１３  ボルト
１４  コイルバネ
１５  ターミナル部支持部材
１６  弾性材
１７  嵌合部
１８  支持部材
２０  スリーブ支持部材
３０  取付ベース
【図１】
2004162568.tif 000003
【図２】
2004162568.tif 000004
【図３】
2004162568.tif 000005
【図４】
2004162568.tif 000006
【図５】
2004162568.tif 000007
【図６】
2004162568.tif 000008
【図７】
2004162568.tif 000009